(57)【特許請求の範囲】
【請求項１】
下記のコーナー部（２）と、立杭部（３）と、多段式金網（４）と、支持材部（５）から構成されていることを特徴とする低コスト耐雪害防鹿柵。
コーナー部（２）は、鹿などの野獣の侵入を防止したい場所の土地に打ち込まれた左右のコーナー柱（２Ａ）と、各コーナー柱に取付けられたグランドアンカー部（２Ｂ）と、控え柱部（２Ｃ）から構成されていること。
立杭部（３）は、左右のコーナー部（２）間の土地に所定間隔をもって打ち込まれた立杭（３Ａ）と、各立杭に取付けられた沈下防止具（３Ｂ）から構成されていること。
多段式金網（４）は、上下方向に所定の間隔（Ｄ１）をもって配置された横線（４Ｂ）に対して左右方向に所定の間隔（Ｄ）をもって直交するよう配置された縦線（４Ａ）が、上下に位置する横線（４Ｂ）における間隔（Ｄ１）毎に対応するよう分断された縦短線で構成され、縦短線の上下端を横線（４Ｂ）に巻付けて構成され、積雪荷重がかかったときに、横線を軸として縦線が回転することによって荷重による縦線の変形を軽減するように構成されていると共に、当該多段式金網（４）は、立杭間に張り、立杭（３Ａ）にフックボルト（４Ｃ）などで固定されていること。
支持材部（５）は、立杭間に所定間隔をもって配された支持材（５Ａ）と、支持材に取付けられた沈下防止具（５Ｂ）から構成され、支持材は地表から多段式金網上端に達するような長さを有しており、地表にその下端部を置き、上端部及びそれ以外２ケ所ほどの位置で多段式金網を固定すること。
【請求項２】
下記のコーナー部（２）と、立杭部（３）と、多段式金網（４）と、支持材部（５）から構成されていることを特徴とする低コスト耐雪害防鹿柵。
コーナー部（２）は、鹿などの野獣の侵入を防止したい場所の土地に打ち込まれた左右のコーナー柱（２Ａ）と、各コーナー柱に取付けられたグランドアンカー部（２Ｂ）と、控え柱部（２Ｃ）から構成されていること。
立杭部（３）は、左右のコーナー部（２）間の土地に所定間隔をもって打ち込まれた立杭（３Ａ）と、各立杭に取付けられた沈下防止具（３Ｂ）から構成されていること。
多段式金網（４）は、
ａ．上下方向に所定の間隔（Ｄ１）をもって配置された横線（４Ｂ）と、これら横線（４Ｂ）に対して左右方向に所定の間隔（Ｄ）をもって直交するよう配置された縦線（４Ａ）は、上下に位置する横線（４Ｂ）における間隔（Ｄ１）毎に分断された１本の上方縦短線（４Ａ１）と、適数本の中間縦短線（４Ａ２）と、１本の下方縦短線（４Ａ３）で構成され、
イ．上方縦短線（４Ａ１）は、上方縦短線体（４Ａ１１）と、上方縦短線体（４Ａ１１）の上端に連設された上方巻付け部（４Ａ１２）と、上方縦短線体（４Ａ１１）の下端に連設された下方巻付け部（４Ａ１３）から構成され、上方巻付け部（４Ａ１２）は、上方縦短線体（４Ａ１１）の上端に左方に向けた状態で横線に巻付くスパイラル状体を連結して構成され、下方巻付け部（４Ａ１３）は、上方縦短線体（４Ａ１１）の下端に左方に向けた状態で横線に巻付くスパイラル状体を連結して構成され、
ロ．中間縦短線（４Ａ２）は、中間縦短線体（４Ａ２１）と、中間縦短線体（４Ａ２１）の上端に連設された上方巻付け部（４Ａ２２）と、中間縦短線体（４Ａ２１）の下端に連設された下方巻付け部（４Ａ２３）から構成され、上方巻付け部（４Ａ２２）は、中間縦短線体（４Ａ２１）の上端に左方に向けた状態で横線に巻付くスパイラル状体を連結して構成され、下方巻付け部（４Ａ２３）は、中間縦短線体（４Ａ２１）の下端に左方に向けた状態で横線に巻付くスパイラル状体を連結して構成され、
ハ．下方縦短線（４Ａ３）は、下方縦短線体（４Ａ３１）と、下方縦短線体（４Ａ３１）の上端に連設された上方巻付け部（４Ａ３２）と、下方縦短線体（４Ａ３１）の下端に連設された下方巻付け部（４Ａ３３）から構成され、上方巻付け部（４Ａ３２）は、下方縦短線体（４Ａ３１）の上端に左方に向けた状態で横線に巻付くスパイラル状体を連結して構成され、下方巻付け部（４Ａ３３）は、下方縦短線体（４Ａ３１）の下端に左方に向けた状態で横線に巻付くスパイラル状体を連結して構成され、
ｂ．縦線（４Ａ）と横線（４Ｂ）の連結状態は、上方から下方に所定の間隔（Ｄ１）をもって配置された横線（４Ｂ）における最上端の横線（４Ｂ）と、２段目の横線（４Ｂ）と、３段目の横線（４Ｂ）において、まず、上方縦短線（４Ａ１）の上方巻付け部（４Ａ１２）を最上端の横線（４Ｂ）に巻付け、下方巻付け部（４Ａ１３）を２段目の横線（４Ｂ）に巻付け、ついで、中間縦短線（４Ａ２）の上方巻付け部（４Ａ２２）を下方巻付け部（４Ａ１３）と絡めながら２段目の横線（４Ｂ）に巻付け、下方巻付け部（４Ａ２３）を３段目の横線（４Ｂ）に巻付け、以下、同様方法で順次下方に位置する横線（４Ｂ）を、横線のうち最下端の横線（４Ｂ）より一段上の横線（４Ｂ）に達するまで中間縦短線（４Ａ２）で連結し、最後に、最下端の横線（４Ｂ）より一段上の横線（４Ｂ）には下方縦短線（４Ａ３）の上方巻付け部（４Ａ３２）をすぐ上の下方巻付け部（４Ａ２３）と絡めながら巻付け、最下端の横線（４Ｂ）には下方縦短線（４Ａ３）の下方巻付け部（４Ａ３３）を巻付けること。
支持材部（５）は、立杭間に所定間隔をもって配された支持材（５Ａ）と、支持材に取付けられた沈下防止具（５Ｂ）から構成され、支持材は地表から多段式金網上端に達するような長さを有しており、地表にその下端部を置き、上端部及びそれ以外２ケ所ほどの位置で多段式金網を固定すること。
【請求項３】
下記のコーナー部（２）と、立杭部（３）と、多段式金網（４）と、支持材部（５）から構成されていることを特徴とする低コスト耐雪害防鹿柵。
コーナー部（２）は、鹿などの野獣の侵入を防止したい場所の土地に打ち込まれた左右のコーナー柱（２Ａ）と、各コーナー柱に取付けられたグランドアンカー部（２Ｂ）と、控え柱部（２Ｃ）から構成され、コーナー柱（２Ａ）は、鋼製で丸パイプ、角パイプ、Ｃ型鋼などを用い、土地に打ち込んだ後の地上高が約２ｍになるように構成され、グランドアンカー部（２Ｂ）は、前後方向のグランドアンカー（２Ｂ１）と、左右方向のグランドアンカー（２Ｂ２）から構成され、前後方向のグランドアンカー（２Ｂ１）は、コーナー柱の地際の部分に遊嵌された係止リング（２Ｂ１１）と、この係止リングを通して斜め下方に地中に打ち込まれたアンカー（２Ｂ１２）から構成され、左右方向のグランドアンカー（２Ｂ２）は、コーナー柱の地際の部分に遊嵌された係止リング（２Ｂ２１）と、この係止リングを通して斜め下方に地中に打ち込まれたアンカー（２Ｂ２２）から構成され、控え柱部（２Ｃ）は、コーナー柱の上下方向における中間部に取付けられた支持金具（２Ｃ１）と、この支持金具と水平方向の上ボルト（２Ｃ２）で連結された斜めの控え柱（２Ｃ３）と、控え柱の下端に上ボルトと平行な下ボルト（２Ｃ４）で連結された縦アンカー（２Ｃ５）と、縦アンカーに取付けられた沈下防止具（２Ｃ６）から構成され、沈下防止具（２Ｃ６）は、Ｕ字ボルト（２Ｃ６１）と、ナット（２Ｃ６２）と、アングル状の沈下防止枠（２Ｃ６３）からなり、沈下防止枠（２Ｃ６３）は、水平片と垂直片が直角に連結され、垂直片にはＵ字ボルトの端を通すためにＵ字ボルトの幅とボルト径に対応した穴があけられ、縦アンカーを打ち込んだ後、地表位置となる場所で当該縦アンカーをＵ字ボルトで抱えて、Ｕ字ボルト端に垂直片を通してナットで止め固定すること。
立杭部（３）は、左右のコーナー部（２）間の土地に所定間隔をもって打ち込まれた立杭（３Ａ）と、各立杭に取付けられた沈下防止具（３Ｂ）から構成され、この立杭は、鋼製で丸パイプ、角パイプ、Ｃ型鋼などを用い、土地に打ち込んだ後の地上高が約２ｍになるように構成され、沈下防止具（３Ｂ）は、Ｕ字ボルト（３Ｂ１）と、ナット（３Ｂ２）と、アングル状の沈下防止枠（３Ｂ３）からなり、沈下防止枠（３Ｂ３）は、水平片と垂直片が直角に連結され、垂直片にはＵ字ボルトの端を通すためにＵ字ボルトの幅とボルト径に対応した穴があけられ、立杭を打ち込んだ後、地表位置となる場所で当該立杭をＵ字ボルトで抱えて、Ｕ字ボルト端に垂直片を通してナットで止め固定すること。
多段式金網（４）は、
ａ．上下方向に所定の間隔（Ｄ１）をもって配置された横線（４Ｂ）と、これら横線（４Ｂ）に対して左右方向に所定の間隔（Ｄ）をもって直交するよう配置された縦線（４Ａ）は、上下に位置する横線（４Ｂ）における間隔（Ｄ１）毎に分断された１本の上方縦短線（４Ａ１）と、適数本の中間縦短線（４Ａ２）と、１本の下方縦短線（４Ａ３）で構成され、
イ．上方縦短線（４Ａ１）は、上方縦短線体（４Ａ１１）と、上方縦短線体（４Ａ１１）の上端に連設された上方巻付け部（４Ａ１２）と、上方縦短線体（４Ａ１１）の下端に連設された下方巻付け部（４Ａ１３）から構成され、上方巻付け部（４Ａ１２）は、上方縦短線体（４Ａ１１）の上端に左方に向けた状態で横線に巻付くスパイラル状体を連結して構成され、下方巻付け部（４Ａ１３）は、上方縦短線体（４Ａ１１）の下端に左方に向けた状態で横線に巻付くスパイラル状体を連結して構成され、
ロ．中間縦短線（４Ａ２）は、中間縦短線体（４Ａ２１）と、中間縦短線体（４Ａ２１）の上端に連設された上方巻付け部（４Ａ２２）と、中間縦短線体（４Ａ２１）の下端に連設された下方巻付け部（４Ａ２３）から構成され、上方巻付け部（４Ａ２２）は、中間縦短線体（４Ａ２１）の上端に左方に向けた状態で横線に巻付くスパイラル状体を連結して構成され、下方巻付け部（４Ａ２３）は、中間縦短線体（４Ａ２１）の下端に左方に向けた状態で横線に巻付くスパイラル状体を連結して構成され、
ハ．下方縦短線（４Ａ３）は、下方縦短線体（４Ａ３１）と、下方縦短線体（４Ａ３１）の上端に連設された上方巻付け部（４Ａ３２）と、下方縦短線体（４Ａ３１）の下端に連設された下方巻付け部（４Ａ３３）から構成され、上方巻付け部（４Ａ３２）は、下方縦短線体（４Ａ３１）の上端に左方に向けた状態で横線に巻付くスパイラル状体を連結して構成され、下方巻付け部（４Ａ３３）は、下方縦短線体（４Ａ３１）の下端に左方に向けた状態で横線に巻付くスパイラル状体を連結して構成され、
ｂ．縦線（４Ａ）と横線（４Ｂ）の連結状態は、上方から下方に所定の間隔（Ｄ１）をもって配置された横線（４Ｂ）における最上端の横線（４Ｂ）と、２段目の横線（４Ｂ）と、３段目の横線（４Ｂ）において、まず、上方縦短線（４Ａ１）の上方巻付け部（４Ａ１２）を最上端の横線（４Ｂ）に巻付け、下方巻付け部（４Ａ１３）を２段目の横線（４Ｂ）に巻付け、ついで、中間縦短線（４Ａ２）の上方巻付け部（４Ａ２２）を下方巻付け部（４Ａ１３）と絡めながら２段目の横線（４Ｂ）に巻付け、下方巻付け部（４Ａ２３）を３段目の横線（４Ｂ）に巻付け、以下、同様方法で順次下方に位置する横線（４Ｂ）を、横線のうち最下端の横線（４Ｂ）より一段上の横線（４Ｂ）に達するまで中間縦短線（４Ａ２）で連結し、最後に、最下端の横線（４Ｂ）より一段上の横線（４Ｂ）には下方縦短線（４Ａ３）の上方巻付け部（４Ａ３２）をすぐ上の下方巻付け部（４Ａ２３）と絡めながら巻付け、最下端の横線（４Ｂ）には下方縦短線（４Ａ３）の下方巻付け部（４Ａ３３）を巻付けること。
支持材部（５）は、立杭間に所定間隔をもって配された支持材（５Ａ）と、支持材に取付けられた沈下防止具（５Ｂ）から構成され、この支持材も鋼製で、地表に接地し打ち込まないで構成され、沈下防止具（５Ｂ）は、Ｕ字ボルト（５Ｂ１）と、ナット（５Ｂ２）と、アングル状の沈下防止枠（５Ｂ３）からなり、沈下防止枠（５Ｂ３）は、水平片と垂直片が直角に連結され、垂直片にはＵ字ボルトの端を通すためにＵ字ボルトの幅とボルト径に対応した穴があけられ、支持材を打ち込んだ後、地表位置となる場所で当該支持材をＵ字ボルトで抱えて、Ｕ字ボルト端に垂直片を通してナットで止め固定し、支持材は地表から多段式金網上端に達するような長さを有しており、地表にその下端部を置き、上端部及びそれ以外２ケ所ほどの位置でフックボルト（４Ｃ）などで多段式金網を固定すること。
【発明の詳細な説明】
【０００１】
【発明の属する技術分野】
本発明は、鹿などの野獣が農地に侵入して農作物に被害を与えるのを防ぐための低コスト耐雪害防鹿柵に関する。
【０００２】
【従来の技術】
従来の野獣被害防止柵は、下記のような構成となっている。
鹿の被害を防ぐ目的で施設されている柵は、太い木製の立杭を５〜７．５ｍ間隔に打ち込み、これに２ｍ程度の高さの金網を張っていた。
【０００３】
【発明が解決しようとする課題】
従来の技術で述べたものにあっては、下記のような問題点を有していた。
１．こうした柵は大掛かりな施設となり、かなりの投資を必要とした。
２．投資を抑えるには、木製に代えて鋼製の立杭利用が考えられるが、鋼製の立杭を利用した場合は、積雪荷重により立杭の沈下が起こり、それにより金網の弛みが発生し、雪が溶けたあとでも弛るんだ状態の癖が元に戻らず、積雪地帯では十分な効果が得られなかった。
【０００４】
本発明は、従来の技術の有するこのような問題点に鑑みなされたものであり、その目的とするところは、下記のようにすることのできるものを提供しようとするものである。
１．本発明は、立杭の材料を従来の木製から鋼製に代えることと、支持材（２．５〜３．７５ｍに１本）の利用により立杭の設置間隔を従来の５〜７．５ｍから７．５〜１２ｍ程度に大幅に広げることにより、全体の投資金額が大幅に削減すると共に、支持材の利用により実質柱間隔が広がらず、立杭や支持材の沈下防止手段により立杭の沈下などが起こらないので、多段式金網の弛みも防止でき柵の効果が十分発揮できる。
２．本発明は積雪地帯において設置費用を大幅に削減しながら、同時に積雪荷重による多段式金網の弛みを起こさせないようにしようとするものである。
【０００５】
【課題を解決するための手段】
上記目的を達成するために、本発明は下記のようになるものである。
すなわち、請求項１記載の発明は、下記のコーナー部２と、立杭部３と、多段式金網４と、支持材部５から構成されていることを特徴とするものである。
Ａ．コーナー部２は、鹿などの野獣の侵入を防止したい場所の土地に打ち込まれた左右のコーナー柱２Ａと、各コーナー柱に取付けられたグランドアンカー部２Ｂと、控え柱部２Ｃから構成されていること。
Ｂ．立杭部３は、左右のコーナー部２間の土地に所定間隔をもって打ち込まれた立杭３Ａと、各立杭に取付けられた沈下防止具３Ｂから構成されていること。
Ｃ．多段式金網４は、縦線４Ａを横線４Ｂの位置で独立させ、その縦線４Ａの上下端を横線４Ｂに巻付けて構成され、積雪荷重がかかったときに、横線を軸として縦線が回転することによって荷重による縦線の変形を軽減するように構成されていると共に、当該多段式金網４は、立杭間に張り、立杭３Ａにフックボルト４Ｃなどで固定されていること。
Ｄ．支持材部５は、立杭間に所定間隔をもって配された支持材５Ａと、支持材に取付けられた沈下防止具５Ｂから構成され、支持材は地表から多段式金網上端に達するような長さを有しており、地表にその下端部を置き、上端部及びそれ以外２ケ所ほどの位置で多段式金網を固定すること。
【０００６】
請求項２記載の発明は、下記のコーナー部２と、立杭部３と、多段式金網４と、支持材部５から構成され、
Ａ．コーナー部２は、鹿などの野獣の侵入を防止したい場所の土地に打ち込まれた左右のコーナー柱２Ａと、各コーナー柱に取付けられたグランドアンカー部２Ｂと、控え柱部２Ｃから構成されていること。
Ｂ．立杭部３は、左右のコーナー部２間の土地に所定間隔をもって打ち込まれた立杭３Ａと、各立杭に取付けられた沈下防止具３Ｂから構成されていること。
【０００７】
Ｃ．多段式金網４は、
ａ．上下方向に所定の間隔Ｄ１をもって配置された横線４Ｂと、これら横線４Ｂに対して左右方向に所定の間隔Ｄをもって直交するよう配置された縦線４Ａは、上下に位置する横線４Ｂにおける間隔Ｄ１毎に分断された１本の上方縦短線４Ａ１と、適数本の中間縦短線４Ａ２と、１本の下方縦短線４Ａ３で構成され、
イ．上方縦短線４Ａ１は、上方縦短線体４Ａ１１と、上方縦短線体４Ａ１１の上端に連設された上方巻付け部４Ａ１２と、上方縦短線体４Ａ１１の下端に連設された下方巻付け部４Ａ１３から構成され、上方巻付け部４Ａ１２は、上方縦短線体４Ａ１１の上端に左方に向けた状態で横線に巻付くスパイラル状体を連結して構成され、下方巻付け部４Ａ１３は、上方縦短線体４Ａ１１の下端に左方に向けた状態で横線に巻付くスパイラル状体を連結して構成され、
ロ．中間縦短線４Ａ２は、中間縦短線体４Ａ２１と、中間縦短線体４Ａ２１の上端に連設された上方巻付け部４Ａ２２と、中間縦短線体４Ａ２１の下端に連設された下方巻付け部４Ａ２３から構成され、上方巻付け部４Ａ２２は、中間縦短線体４Ａ２１の上端に左方に向けた状態で横線に巻付くスパイラル状体を連結して構成され、下方巻付け部４Ａ２３は、中間縦短線体４Ａ２１の下端に左方に向けた状態で横線に巻付くスパイラル状体を連結して構成され、
ハ．下方縦短線４Ａ３は、下方縦短線体４Ａ３１と、下方縦短線体４Ａ３１の上端に連設された上方巻付け部４Ａ３２と、下方縦短線体４Ａ３１の下端に連設された下方巻付け部４Ａ３３から構成され、上方巻付け部４Ａ３２は、下方縦短線体４Ａ３１の上端に左方に向けた状態で横線に巻付くスパイラル状体を連結して構成され、下方巻付け部４Ａ３３は、下方縦短線体４Ａ３１の下端に左方に向けた状態で横線に巻付くスパイラル状体を連結して構成されていること。
【０００８】
ｂ．縦線４Ａと横線４Ｂの連結状態は、上方から下方に所定の間隔Ｄ１をもって配置された横線４Ｂにおける最上端の横線４Ｂと、２段目の横線４Ｂと、３段目の横線４Ｂにおいて、まず、上方縦短線４Ａ１の上方巻付け部４Ａ１２を最上端の横線４Ｂに巻付け、下方巻付け部４Ａ１３を２段目の横線４Ｂに巻付け、ついで、中間縦短線４Ａ２の上方巻付け部４Ａ２２を下方巻付け部４Ａ１３と絡めながら２段目の横線４Ｂに巻付け、下方巻付け部４Ａ２３を３段目の横線４Ｂに巻付け、以下、同様方法で順次下方に位置する横線４Ｂを、横線のうち最下端の横線４Ｂより一段上の横線４Ｂに達するまで中間縦短線４Ａ２で連結し、最後に、最下端の横線４Ｂより一段上の横線４Ｂには下方縦短線４Ａ３の上方巻付け部４Ａ３２をすぐ上の下方巻付け部４Ａ２３と絡めながら巻付け、最下端の横線４Ｂには下方縦短線４Ａ３の下方巻付け部４Ａ３３を巻付けること。
Ｄ．支持材部５は、立杭間に所定間隔をもって配された支持材５Ａと、支持材に取付けられた沈下防止具５Ｂから構成され、支持材は地表から多段式金網上端に達するような長さを有しており、地表にその下端部を置き、上端部及びそれ以外２ケ所ほどの位置で多段式金網を固定すること。
【０００９】
請求項３記載の発明は、下記のコーナー部２と、立杭部３と、多段式金網４と、支持材部５から構成されていることを特徴とするものである。
Ａ．コーナー部２は、鹿などの野獣の侵入を防止したい場所の土地に打ち込まれた左右のコーナー柱２Ａと、各コーナー柱に取付けられたグランドアンカー部２Ｂと、控え柱部２Ｃから構成され、コーナー柱２Ａは、鋼製で丸パイプ、角パイプ、Ｃ型鋼などを用い、土地に打ち込んだ後の地上高が約２ｍになるように構成され、グランドアンカー部２Ｂは、前後方向のグランドアンカー２Ｂ１と、左右方向のグランドアンカー２Ｂ２から構成され、前後方向のグランドアンカー２Ｂ１は、コーナー柱の地際の部分に遊嵌された係止リング２Ｂ１１と、この係止リングを通して斜め下方に地中に打ち込まれたアンカー２Ｂ１２から構成され、左右方向のグランドアンカー２Ｂ２は、コーナー柱の地際の部分に遊嵌された係止リング２Ｂ２１と、この係止リングを通して斜め下方に地中に打ち込まれたアンカー２Ｂ２２から構成され、控え柱部２Ｃは、コーナー柱の上下方向における中間部に取付けられた支持金具２Ｃ１と、この支持金具と水平方向の上ボルト２Ｃ２で連結された斜めの控え柱２Ｃ３と、控え柱の下端に上ボルトと平行な下ボルト２Ｃ４で連結された縦アンカー２Ｃ５と、縦アンカーに取付けられた沈下防止具２Ｃ６から構成され、沈下防止具２Ｃ６は、Ｕ字ボルト２Ｃ６１と、ナット２Ｃ６２と、アングル状の沈下防止枠２Ｃ６３からなり、沈下防止枠２Ｃ６３は、水平片と垂直片が直角に連結され、垂直片にはＵ字ボルトの端を通すためにＵ字ボルトの幅とボルト径に対応した穴があけられ、縦アンカーを打ち込んだ後、地表位置となる場所で当該縦アンカーをＵ字ボルトで抱えて、Ｕ字ボルト端に垂直片を通してナットで止め固定すること。
Ｂ．立杭部３は、左右のコーナー部２間の土地に所定間隔をもって打ち込まれた立杭３Ａと、各立杭に取付けられた沈下防止具３Ｂから構成され、この立杭は、鋼製で丸パイプ、角パイプ、Ｃ型鋼などを用い、土地に打ち込んだ後の地上高が約２ｍになるように構成され、沈下防止具３Ｂは、Ｕ字ボルト３Ｂ１と、ナット３Ｂ２と、アングル状の沈下防止枠３Ｂ３からなり、沈下防止枠３Ｂ３は、水平片と垂直片が直角に連結され、垂直片にはＵ字ボルトの端を通すためにＵ字ボルトの幅とボルト径に対応した穴があけられ、立杭を打ち込んだ後、地表位置となる場所で当該立杭をＵ字ボルトで抱えて、Ｕ字ボルト端に垂直片を通してナットで止め固定すること。
【００１０】
Ｃ．多段式金網４は、
ａ．上下方向に所定の間隔Ｄ１をもって配置された横線４Ｂと、これら横線４Ｂに対して左右方向に所定の間隔Ｄをもって直交するよう配置された縦線４Ａは、上下に位置する横線４Ｂにおける間隔Ｄ１毎に分断された１本の上方縦短線４Ａ１と、適数本の中間縦短線４Ａ２と、１本の下方縦短線４Ａ３で構成され、
イ．上方縦短線４Ａ１は、上方縦短線体４Ａ１１と、上方縦短線体４Ａ１１の上端に連設された上方巻付け部４Ａ１２と、上方縦短線体４Ａ１１の下端に連設された下方巻付け部４Ａ１３から構成され、上方巻付け部４Ａ１２は、上方縦短線体４Ａ１１の上端に左方に向けた状態で横線に巻付くスパイラル状体を連結して構成され、下方巻付け部４Ａ１３は、上方縦短線体４Ａ１１の下端に左方に向けた状態で横線に巻付くスパイラル状体を連結して構成され、
ロ．中間縦短線４Ａ２は、中間縦短線体４Ａ２１と、中間縦短線体４Ａ２１の上端に連設された上方巻付け部４Ａ２２と、中間縦短線体４Ａ２１の下端に連設された下方巻付け部４Ａ２３から構成され、上方巻付け部４Ａ２２は、中間縦短線体４Ａ２１の上端に左方に向けた状態で横線に巻付くスパイラル状体を連結して構成され、下方巻付け部４Ａ２３は、中間縦短線体４Ａ２１の下端に左方に向けた状態で横線に巻付くスパイラル状体を連結して構成され、
ハ．下方縦短線４Ａ３は、下方縦短線体４Ａ３１と、下方縦短線体４Ａ３１の上端に連設された上方巻付け部４Ａ３２と、下方縦短線体４Ａ３１の下端に連設された下方巻付け部４Ａ３３から構成され、上方巻付け部４Ａ３２は、下方縦短線体４Ａ３１の上端に左方に向けた状態で横線に巻付くスパイラル状体を連結して構成され、下方巻付け部４Ａ３３は、下方縦短線体４Ａ３１の下端に左方に向けた状態で横線に巻付くスパイラル状体を連結して構成されていること。
【００１１】
ｂ．縦線４Ａと横線４Ｂの連結状態は、上方から下方に所定の間隔Ｄ１をもって配置された横線４Ｂにおける最上端の横線４Ｂと、２段目の横線４Ｂと、３段目の横線４Ｂにおいて、まず、上方縦短線４Ａ１の上方巻付け部４Ａ１２を最上端の横線４Ｂに巻付け、下方巻付け部４Ａ１３を２段目の横線４Ｂに巻付け、ついで、中間縦短線４Ａ２の上方巻付け部４Ａ２２を下方巻付け部４Ａ１３と絡めながら２段目の横線４Ｂに巻付け、下方巻付け部４Ａ２３を３段目の横線４Ｂに巻付け、以下、同様方法で順次下方に位置する横線４Ｂを、横線のうち最下端の横線４Ｂより一段上の横線４Ｂに達するまで中間縦短線４Ａ２で連結し、最後に、最下端の横線４Ｂより一段上の横線４Ｂには下方縦短線４Ａ３の上方巻付け部４Ａ３２をすぐ上の下方巻付け部４Ａ２３と絡めながら巻付け、最下端の横線４Ｂには下方縦短線４Ａ３の下方巻付け部４Ａ３３を巻付けること。
Ｄ．支持材部５は、立杭間に所定間隔をもって配された支持材５Ａと、支持材に取付けられた沈下防止具５Ｂから構成され、この支持材も鋼製で、地表に接地し打ち込まないで構成され、沈下防止具５Ｂは、Ｕ字ボルト５Ｂ１と、ナット５Ｂ２と、アングル状の沈下防止枠５Ｂ３からなり、沈下防止枠５Ｂ３は、水平片と垂直片が直角に連結され、垂直片にはＵ字ボルトの端を通すためにＵ字ボルトの幅とボルト径に対応した穴があけられ、支持材を打ち込んだ後、地表位置となる場所で当該支持材をＵ字ボルトで抱えて、Ｕ字ボルト端に垂直片を通してナットで止め固定し、支持材は地表から多段式金網上端に達するような長さを有しており、地表にその下端部を置き、上端部及びそれ以外２ケ所ほどの位置でフックボルト４Ｃなどで多段式金網を固定すること。
【００１２】
【発明の実施の形態】
以下、本発明の実施の形態を実施例にもとづき図面を参照して説明する。
１は本発明の低コスト耐雪害防鹿柵で、コーナー部２と、立杭部３と、多段式金網４と、支持材部５から構成されている。
【００１３】
Ａ．コーナー部２は、鹿などの野獣の侵入を防止したい場所の土地に打ち込まれた左右のコーナー柱２Ａと、各コーナー柱に取付けられたグランドアンカー部２Ｂと、控え柱部２Ｃから構成されている。
ａ．コーナー柱２Ａは、鋼製で丸パイプ、角パイプ、Ｃ型鋼などを用い、土地に打ち込んだ後の地上高が約２ｍになるように構成されている。
ｂ．グランドアンカー部２Ｂは、前後方向のグランドアンカー２Ｂ１と、左右方向のグランドアンカー２Ｂ２から構成され、前後方向のグランドアンカー２Ｂ１は、コーナー柱の地際の部分に遊嵌された係止リング２Ｂ１１と、この係止リングを通して斜め下方に地中に打ち込まれたアンカー２Ｂ１２から構成され、左右方向のグランドアンカー２Ｂ２は、コーナー柱の地際の部分に遊嵌された係止リング２Ｂ２１と、この係止リングを通して斜め下方に地中に打ち込まれたアンカー２Ｂ２２から構成されている。
このグランドアンカー部によりコーナー柱の沈下を防止し、安定的な立設状態を得ることができる。
【００１４】
ｃ．控え柱部２Ｃは、コーナー柱の上下方向における中間部に取付けられた支持金具２Ｃ１と、この支持金具と水平方向の上ボルト２Ｃ２で連結された斜めの控え柱２Ｃ３と、控え柱の下端に上ボルトと平行な下ボルト２Ｃ４で連結された縦アンカー２Ｃ５と、縦アンカーに取付けられた沈下防止具２Ｃ６から構成されている。
この場合、沈下防止具２Ｃ６は、Ｕ字ボルト２Ｃ６１と、ナット２Ｃ６２と、アングル状の沈下防止枠２Ｃ６３からなる。
沈下防止枠２Ｃ６３は、水平片と垂直片が直角に連結され、垂直片にはＵ字ボルトの端を通すためにＵ字ボルトの幅とボルト径に対応した穴があけられ、縦アンカーを打ち込んだ後、地表位置となる場所で当該縦アンカーをＵ字ボルトで抱えて、Ｕ字ボルト端に垂直片を通してナットで止め固定する。
【００１５】
Ｂ．立杭部３は、左右のコーナー部２、２間の土地に所定間隔をもって打ち込まれた立杭３Ａと、各立杭に取付けられた沈下防止具３Ｂから構成されている。
ａ．この立杭は、鋼製で丸パイプ、角パイプ、Ｃ型鋼などを用い、土地に打ち込んだ後の地上高が約２ｍになるように構成されている。
ｂ．立杭と立杭の間隔は、７．５〜１２ｍ程度である。
ｃ．沈下防止具３Ｂは、Ｕ字ボルト３Ｂ１と、ナット３Ｂ２と、アングル状の沈下防止枠３Ｂ３からなる。
沈下防止枠３Ｂ３は、水平片と垂直片が直角に連結され、垂直片にはＵ字ボルトの端を通すためにＵ字ボルトの幅とボルト径に対応した穴があけられ、立杭を打ち込んだ後、地表位置となる場所で当該立杭をＵ字ボルトで抱えて、Ｕ字ボルト端に垂直片を通してナットで止め固定する。
【００１６】
Ｃ．多段式金網４は、上下方向に所定の間隔Ｄ１をもって配置された横線４Ｂに対して左右方向に所定の間隔Ｄをもって直交するよう配置された縦線４Ａが、上下に位置する横線４Ｂにおける間隔Ｄ１毎に対応するよう分断された縦短線で構成され、縦短線の上下端を横線４Ｂに巻付けて構成され、積雪荷重がかかったときに、横線を軸として縦線が回転することによって荷重による縦線の変形を軽減するように構成されている。
そして、この多段式金網４は、立杭間に張り、立杭３Ａにフックボルト４Ｃなどで固定されている。
なお、多段式金網４の高さは、２ｍ程度に構成されている。
【００１７】
以下、多段式金網４について詳述する。
ａ．上下方向に所定の間隔Ｄ１をもって配置された横線４Ｂと、これら横線４Ｂに対して左右方向に所定の間隔Ｄをもって直交するよう配置された縦線４Ａは、上下に位置する横線４Ｂにおける間隔Ｄ１毎に分断された１本の上方縦短線４Ａ１と、適数本の中間縦短線４Ａ２と、１本の下方縦短線４Ａ３で構成されている。
イ．上方縦短線４Ａ１は、上方縦短線体４Ａ１１と、上方縦短線体４Ａ１１の上端に連設された上方巻付け部４Ａ１２と、上方縦短線体４Ａ１１の下端に連設された下方巻付け部４Ａ１３から構成されている。
上方巻付け部４Ａ１２は、上方縦短線体４Ａ１１の上端に左方に向けた状態で横線に巻付くスパイラル状体を連結して構成されている。
下方巻付け部４Ａ１３は、上方縦短線体４Ａ１１の下端に左方に向けた状態で横線に巻付くスパイラル状体を連結して構成されている。
ロ．中間縦短線４Ａ２は、中間縦短線体４Ａ２１と、中間縦短線体４Ａ２１の上端に連設された上方巻付け部４Ａ２２と、中間縦短線体４Ａ２１の下端に連設された下方巻付け部４Ａ２３から構成されている。
上方巻付け部４Ａ２２は、中間縦短線体４Ａ２１の上端に左方に向けた状態で横線に巻付くスパイラル状体を連結して構成されている。
下方巻付け部４Ａ２３は、中間縦短線体４Ａ２１の下端に左方に向けた状態で横線に巻付くスパイラル状体を連結して構成されている。
ハ．下方縦短線４Ａ３は、下方縦短線体４Ａ３１と、下方縦短線体４Ａ３１の上端に連設された上方巻付け部４Ａ３２と、下方縦短線体４Ａ３１の下端に連設された下方巻付け部４Ａ３３から構成されている。
上方巻付け部４Ａ３２は、下方縦短線体４Ａ３１の上端に左方に向けた状態で横線に巻付くスパイラル状体を連結して構成されている。
下方巻付け部４Ａ３３は、下方縦短線体４Ａ３１の下端に左方に向けた状態で横線に巻付くスパイラル状体を連結して構成されている。
【００１８】
ｂ．縦線４Ａと横線４Ｂの連結状態は下記の通りである。
上方から下方に所定の間隔Ｄ１をもって配置された横線４Ｂにおける最上端の横線４Ｂと、２段目の横線４Ｂと、３段目の横線４Ｂにおいて、まず、上方縦短線４Ａ１の上方巻付け部４Ａ１２を最上端の横線４Ｂに巻付け、下方巻付け部４Ａ１３を２段目の横線４Ｂに巻付け、ついで、中間縦短線４Ａ２の上方巻付け部４Ａ２２を下方巻付け部４Ａ１３と絡めながら２段目の横線４Ｂに巻付け、下方巻付け部４Ａ２３を３段目の横線４Ｂに巻付ける。
以下、同様方法で順次下方に位置する横線４Ｂを、横線のうち最下端の横線４Ｂより一段上の横線４Ｂに達するまで中間縦短線４Ａ２で連結する。
最後に、最下端の横線４Ｂより一段上の横線４Ｂには下方縦短線４Ａ３の上方巻付け部４Ａ３２をすぐ上の下方巻付け部４Ａ２３と絡めながら巻付け、最下端の横線４Ｂには下方縦短線４Ａ３の下方巻付け部４Ａ３３を巻付ける。
【００１９】
Ｄ．支持材部５は、立杭間に所定間隔をもって配された支持材５Ａと、支持材に取付けられた沈下防止具５Ｂから構成されている。
ａ．立杭と立杭の間隔が７．５ｍなら１本、１２ｍなら３本配置する。
ただし、積雪量により調整することもできる。
ｂ．この支持材も鋼製であるが、地表に接地し打ち込まないので、立杭ほど丈夫なものでなくてよい。
ｃ．沈下防止具５Ｂは、Ｕ字ボルト５Ｂ１と、ナット５Ｂ２と、アングル状の沈下防止枠５Ｂ３からなる。
沈下防止枠５Ｂ３は、水平片と垂直片が直角に連結され、垂直片にはＵ字ボルトの端を通すためにＵ字ボルトの幅とボルト径に対応した穴があけられ、支持材を打ち込んだ後、地表位置となる場所で当該支持材をＵ字ボルトで抱えて、Ｕ字ボルト端に垂直片を通してナットで止め固定する。
支持材は地表から金網上端に達するような長さを有しており、地表にその下端部を置き、上端部及びそれ以外２ケ所ほどの位置でフックボルト４Ｃなどで金網を固定する。
【００２０】
【実施例】
さらに、以下のような条件で実験した結果、極めて良好な結果が得られた。
フックボルトなどで多段式金網を立杭に直接固定するのではなく、図１５ないし図１７のようにフックボルト４Ｃなどで丸棒６を固定し、この丸棒６と立杭３Ａの間に、多段式金網４を挟み込んで固定する方法もとることができる。
単に多段式金網をフックボルトで固定し、かつ全ての多段式金網の横線をフックボルトで固定していない場合は、設置場所に上下の起伏や左右のコーナーがあると、多段式金網を引っ張った時に、横線が本来あるべき位置より引っ張り方向へずれたり、立杭部から引っ張り方向へ離れてしまったりする可能性がある。
図１５ないし図１７のように固定すると、多段式金網の上端から下端までが丸棒によりしっかり立杭に密着固定されるので、多段式金網が引っ張られても位置がずれたり、立杭から離れてしまうことがなく柵全体の強度が高められる。
【００２１】
【発明の効果】
本発明は、上述の通り構成されているので次に記載する効果を奏する。
１．木柵は十分な強度を持たせるには太さが必要であり、結果的に太い立杭を利用するため柱の沈下を考慮する必要がなかった。
しかし、本発明のように、鋼製の立杭を利用することにより設置費は大幅に安価となるが、鋼製の立杭は沈下防止手段が施されているので積雪荷重による沈下が避けられる。
２．立杭が沈下すると多段式金網が弛みやすくなり、一度弛むと融雪後も弛みは元に戻らず、防止柵の効果が得られないようになる。
そのため一般的に鋼製の立杭は用いられず、もっぱら木製の立杭が用いられてきた。
しかし、本発明では立杭にＵ字ボルトとアングル状の沈下防止枠からなる沈下防止手段を形成しており、鋼製であっても立杭の沈下が起こらず、安価な鋼製の立杭の利用が可能になった。
３．さらに、この沈下防止手段は柱に穴をあけずにＵ字ボルトで止めるので立杭のどの場所にも止められる。
地形・地質によっては十分な打ち込みができない場所もあるが、その場合でも地表に固定場所を変更して利用することができる。
【００２２】
４．また、支持材を利用することにより立杭の設置間隔を従来の５〜７．５ｍから７．５〜１２ｍ程度に大幅に広げることができた。
５．鋼製の立杭の採用と支持材による立杭の設置間隔が広がり大幅な設置費の削減が図れるが、それによって柵としての強度が損なわれるわけではなく、積雪荷重にも十分に耐えられ、柵としての十分な効果が得られる。
６．また、木製の立杭は太いために機械打ち込みとなるが、山中では機械が入れないところもある。
しかし、鋼製の立杭の場合は人手での打ち込みが可能なため、山中での施工も可能である。
７．従来の金網は縦線が１本に構成されているので、積雪荷重を受けると縦横の線が弛み、一度弛むと積雪荷重が無くなっても弛みは元に戻らない。
この点、多段式金網は縦線は横線から横線間で切断されており横線に巻付けられているので、積雪荷重がかかった場合も縦線が回転し縦横の線の弛みを防止することができる。また、融雪後に伸ばすと復元できる。
８．このほか、安価に製造できる、部品点数が少ないので組立が容易である、経済的である、などの効果をも有するものである。
【図面の簡単な説明】
【図１】要部の略図的拡大正面図である。
【図２】Ａ−Ａ線拡大断面図である。
【図３】グランドアンカー部を説明する拡大横断面図である。
【図４】前後方向のグランドアンカーを説明する拡大横断面図である。
【図５】Ｂ−Ｂ線拡大端面図である。
【図６】同上の左側面図である。
【図７】立杭部、多段式金網、支持材部の関係を説明する要部の略図的拡大正面図である。
【図８】Ｃ−Ｃ線拡大断面図である。
【図９】Ｄ−Ｄ線拡大断面図である。
【図１０】支持材部の下端部分の左側面図である。
【図１１】立杭部への多段式金網の固定状態を説明する拡大横断面図である。
【図１２】同上の左側面図である。
【図１３】支持材部への金網の固定状態を説明する拡大横断面図である。
【図１４】同上の左側面図である。
【図１５】多段式金網の立杭への固定状態の他の実施例を示す要部の正面図である。
【図１６】同上の左側面図である。
【図１７】図１５における拡大横断面図である。
【図１８】多段式金網の要部拡大正面図である。
【図１９】多段式金網の要部拡大正面図である。
【図２０】図１９におけるイ部分の拡大図である。
【図２１】図１９におけるロ部分の拡大図である。
【図２２】図１９におけるハ部分の拡大図である。
【図２３】図１９におけるニ部分の拡大図である。
【図２４】上方縦短線の拡大正面図である。
【図２５】同上の左側面図である。
【図２６】中間縦短線の拡大正面図である。
【図２７】同上の左側面図である。
【図２８】下方縦短線の拡大正面図である。
【図２９】同上の左側面図である。
【図３０】多段式金網の作用を説明する側面図である。
【符号の説明】
１  低コスト耐雪害防鹿柵
２  コーナー部
３  立杭部
４  多段式金網
５  支持材部
【図１】
0003559531.tif 000002
【図２】
0003559531.tif 000003
【図３】
0003559531.tif 000004
【図４】
0003559531.tif 000005
【図５】
0003559531.tif 000006
【図６】
0003559531.tif 000007
【図７】
0003559531.tif 000008
【図８】
0003559531.tif 000009
【図９】
0003559531.tif 000010
【図１０】
0003559531.tif 000011
【図１１】
0003559531.tif 000012
【図１２】
0003559531.tif 000013
【図１３】
0003559531.tif 000014
【図１４】
0003559531.tif 000015
【図１５】
0003559531.tif 000016
【図１６】
0003559531.tif 000017
【図１７】
0003559531.tif 000018
【図１８】
0003559531.tif 000019
【図１９】
0003559531.tif 000020
【図２０】
0003559531.tif 000021
【図２１】
0003559531.tif 000022
【図２２】
0003559531.tif 000023
【図２３】
0003559531.tif 000024
【図２４】
0003559531.tif 000025
【図２５】
0003559531.tif 000026
【図２６】
0003559531.tif 000027
【図２７】
0003559531.tif 000028
【図２８】
0003559531.tif 000029
【図２９】
0003559531.tif 000030
【図３０】
0003559531.tif 000031